(57)【要約】【課題】安価かつ簡便な構造で燃料中に添加剤を安定に供給することができる燃料タンクを提供する。【解決手段】ストレーナ３に収納又は塗布された添加剤５，５ａの下方に、タンク本体１内に貯蔵された燃料Ｆとストレーナ３に収納又は塗布された添加剤５，５ａとの接触を抑制するための接触抑制手段を備える。接触抑制手段としては、固形添加剤５に浮力を与えるフロート４を用いることもできるし、タンク本体１内に貯蔵された燃料Ｆの跳ねを遮断するバッフルプレート１１を用いることもできる。【選択図】図３
2007262976.tif 000002
【特許請求の範囲】
【請求項１】
添加剤が収納又は塗布されたストレーナを給油口に備えてなる燃料タンクにおいて、前記ストレーナに収納又は塗布された添加剤の下方に、タンク本体内に貯蔵された燃料と前記ストレーナに収納又は塗布された添加剤との接触を抑制するための接触抑制手段を備えたことを特徴とする燃料タンク。
【請求項２】
請求項１に記載の燃料タンクにおいて、
前記添加剤としてペレット状の固形添加剤を前記ストレーナ内に収納すると共に、前記接触抑制手段として前記ストレーナの底部と前記固形添加剤との間に前記タンク本体内に給油された燃料よりも低比重のフロートを介在させたことを特徴とする燃料タンク。
【請求項３】
請求項１に記載の燃料タンクにおいて、
前記接触抑制手段としてタンク本体内の前記ストレーナの底部が配置される位置よりも下方部分にバッフルプレートを備えたことを特徴とする燃料タンク。
【請求項４】
請求項１に記載の燃料タンクにおいて、
前記ストレーナを前記給油口に対して着脱可能に構成し、前記ストレーナの表面に前記添加剤を塗布したことを特徴とする燃料タンク。
【発明の詳細な説明】
【技術分野】
【０００１】
本発明は、ディーゼルエンジン燃料などを貯蔵する燃料タンクに係り、特に、燃料中の添加剤濃度を安定化する手段に関する。
【背景技術】
【０００２】
ディーゼルエンジンの燃料には、例えば粘度を調整してディーゼルエンジンの燃料供給系に備えられる燃料ポンプの早期摩耗や焼き付きを防止するため、或いは排気中のパーティキュレート（カーボンを主成分とする固形粒子）を活性化してディーゼルエンジンの排気系に備えられるパーティキュレート捕集用フィルタの目詰まりを防止する等のため、所要の添加剤を添加される。
【０００３】
従来より、燃料への添加剤の添加方法としては、燃料タンクに備えられたストレーナ内にペレット状の固形添加剤を投入しておき、給油ごとに燃料と添加剤とを接触させて燃料中に添加剤を溶け込ますようにしたもの（例えば、特許文献１参照。）、及び添加剤タンク中に貯蔵された液状の添加剤を燃料噴射ポンプのオーバーフローポートからの燃料圧力を利用して加圧し燃料タンク内に供給するもの（例えば、特許文献２参照。）などが知られている。
【特許文献１】特開２００５−１７１９６６号公報
【特許文献２】特公平６−５８０５７号公報
【発明の開示】
【発明が解決しようとする課題】
【０００４】
ストレーナは、燃料タンク内の規定のフル給油位置よりも上方に設定されるので、燃料がフル給油位置までしか給油されておらず、しかも燃料タンクの揺れが少ない使用状態においては、燃料タンク内に貯蔵された燃料がストレーナ内に投入された固形添加剤とほとんど再接触せず、燃料タンク内に貯蔵された燃料の添加剤濃度は給油時の状態に安定に保たれる。
【０００５】
しかしながら、油圧ショベルなどの作業機械に備えられる燃料タンクには、給油の頻度を少なくして作業能率の向上を図るため、規定のフル給油位置を超えて燃料給油口の近傍まで燃料が給油されることが多く、この場合には、燃料タンク内の燃料が消費されてストレーナ内に投入された固形添加剤と接触しなくなるまで固形添加剤に燃料が接触され続けるので、燃料の添加剤濃度が所定の値よりも高濃度になる。また、油圧ショベルなどの作業機械はその性格上悪路を走行する機会が多いので、燃料が規定のフル給油位置までしか給油されなかった場合にも、液面から飛び跳ねた燃料が固形添加剤に接触しやすく、これによっても燃料中の添加剤濃度が所定の値よりも高濃度になりやすい。
【０００６】
特許文献２に開示されているように、添加剤タンク中に貯蔵された液状の添加剤を燃料タンク内に適宜供給する構成とすればかかる不都合を回避できるが、添加剤タンク、燃料噴射ポンプのオーバーフローポートと添加剤タンクとをつなぐ配管、当該配管に備えられる定圧弁及び添加剤タンクと燃料タンクとをつなぐ配管などの多くの構成部材が必要になるので、構造が複雑化し、装置がコスト高になる。
【０００７】
本発明は、かかる従来技術の不備を解決するためになされたものであり、その目的は、安価かつ簡便な構造で燃料中に添加剤を安定に供給することができる燃料タンクを提供することにある。
【課題を解決するための手段】
【０００８】
本発明は、前記課題を解決するため、第１に、添加剤が収納又は塗布されたストレーナを給油口に備えてなる燃料タンクにおいて、前記ストレーナに収納又は塗布された添加剤の下方に、タンク本体内に貯蔵された燃料と前記ストレーナに収納又は塗布された添加剤との接触を抑制するための接触抑制手段を備えるという構成にした。
【０００９】
このように、ストレーナに収納又は塗布された添加剤の下方に所要の接触抑制手段を備えると、タンク本体内に貯蔵された燃料とストレーナに収納又は塗布された添加剤との接触を抑制することができるので、給油後の燃料への添加剤の溶け込みを抑制することができ、燃料タンク内に貯蔵された燃料の添加剤濃度を安定に保つことができる。
【００１０】
また本発明は、前記第１の構成の燃料タンクにおいて、前記添加剤としてペレット状の固形添加剤を前記ストレーナ内に収納すると共に、前記接触抑制手段として前記ストレーナの底部と前記固形添加剤との間に前記タンク本体内に給油された燃料よりも低比重のフロートを介在させるという構成にした。
【００１１】
このように、ストレーナの底部と当該ストレーナ内に収納された固形添加剤との間に所要のフロートを介在させると、タンク本体内に給油された燃料の液面の高さに応じてそれよりも常に高い位置に固形添加剤が移動されるので、給油後の燃料への添加剤の溶け込みを抑制することができ、タンク本体内に貯蔵された燃料の添加剤濃度を安定に保つことができる。また、規定のフル給油位置を超える位置までタンク本体内に燃料を給油することができるので、作業機械等の稼働効率を高めることができる。
【００１２】
また本発明は、前記第１の構成の燃料タンクにおいて、前記接触抑制手段としてタンク本体内の前記ストレーナの底部が配置される位置よりも下方部分にバッフルプレートを備えるという構成にした。
【００１３】
このように、タンク本体内のストレーナの底部が配置される位置よりも下方部分にバッフルプレートを備えると、タンク本体が何らかの原因で揺動し、タンク本体内に貯蔵された燃料に飛び跳ねが生じた場合にも、飛び跳ねた燃料がバッフルプレートによって遮断され、ストレーナに収納又は塗布された添加剤に燃料が接触しにくくなるので、タンク本体内に貯蔵された燃料の添加剤濃度を安定に保つことができる。
【００１４】
また本発明は、前記第１の構成の燃料タンクにおいて、前記ストレーナを前記給油口に対して着脱可能に構成し、前記ストレーナの表面に前記添加剤を塗布するという構成にした。
【００１５】
このように、ストレーナを給油口に対して着脱可能に構成すると、ストレーナに塗布された添加剤が無くなったとき又はその残量が少なくなったときに給油口からストレーナを取り外し、再度ストレーナの内周面及び外周面に添加剤を塗布することができるので、燃料への添加剤の添加機能を半永久的に持続させることができる。
【発明の効果】
【００１６】
本発明の燃料タンクは、タンク本体内におけるストレーナに収納又は塗布された添加剤の下方に所要の接触抑制手段を備えたので、タンク本体内に貯蔵された燃料とストレーナに収納又は塗布された添加剤との接触を抑制することができ、給油後の燃料への添加剤の溶け込みを抑制することができて、タンク本体内に貯蔵された燃料の添加剤濃度を安定に保つことができる。また、添加剤の供給に複雑な設備を要しないので、安価に実施できる。
【発明を実施するための最良の形態】
【００１７】
以下、本発明に係る燃料タンクの実施形態を図１乃至図５に基づいて説明する。図１は第１実施形態に係る燃料タンクの分解斜視図、図２は第１実施形態に係る燃料タンクの給油レベルが低いときの状態を示す要部断面図、図３は第１実施形態に係る燃料タンクの給油レベルが高いときの状態を示す要部断面図、図４は第２実施形態に係る燃料タンクの断面図、図５は第３実施形態に係る燃料タンクに備えられるストレーナの要部断面図である。
【００１８】
第１実施形態に係る燃料タンクは、油圧ショベル等の作業機械に搭載されるものであって、図１に示すように、タンク本体１と、タンク本体１の一部に設けられた給油口２と、給油口２内に設定されるストレーナ３と、ストレーナ３内に収納されるフロート４及び固形添加剤５と、給油口２に着脱可能に取り付けられるキャップ６とから主に構成されている。
【００１９】
タンク本体１は、鋼板等をもって所要の容積を有する容器状に形成されており、側面の所要の部分には、作業機械の車体に取り付けるための取付部材１ａが設けられている。給油口２は、タンク本体１の上面の一部に設けられる。
【００２０】
ストレーナ３は、図２及び図３に示すように、上部が開放された有底筒状に形成されており、全体が網目構造になっている。このストレーナ３は、給油口２内に固定することもできるし、給油口２内に着脱可能に設定することもできる。網目構造としては、線状の素材を網状に編んだものであっても、金属板に多数の透孔を開設したものであっても良い。網目の大きさは、タンク本体１内への円滑な燃料の給油を阻害せず、かつタンク本体１内への砂利や枯れ草等の粗大な異物の侵入を防止可能な適宜の大きさに設定される。
【００２１】
フロート４は、ストレーナ３の底部に設定可能で、しかも固形添加剤５を上面に載置可能な所要の大きさ及び形状に形成される。フロート４としては、燃料よりも比重が小さく、フロート４上に載置された固形添加剤５を常時タンク本体１内に給油された燃料の液面よりも上方に保持できるものであれば良く、例えば金属板や合成樹脂等で形成された中空の密封容器や、人工又は天然の多孔質体等を用いて形成することができる。
【００２２】
固形添加剤５としては、タンク本体１内に給油される燃料の性状に応じて適宜のものが用いられる。なお、図２及び図３においては、固形添加剤５が球状に形成されているが、本発明の要旨はこれに限定されるものではなく、ストレーナ３内に収納可能な任意の形状のペレット状に形成することができる。
【００２３】
キャップ６は、給油時に給油口２を開口して給油口２内への給油ノズルの挿入を可能とし、給油終了後は給油口２を閉止して内蔵された燃料の漏れを防止するものである。
【００２４】
本例の燃料タンク１は、ストレーナ３内にフロート４を挿入し、当該フロート４上に固形添加剤５を載置するので、図３に示すように、規定のフル給油位置を超えて給油口２の近傍まで燃料Ｆが給油された場合にも、燃料タンク内に給油された燃料Ｆの液面の高さに応じてそれよりも常に高い位置に固形添加剤５が移動される。よって、燃料Ｆへの添加剤５の過剰な溶け込みを抑制することができ、タンク本体１内に貯蔵された燃料の添加剤濃度を安定に保つことができる。また、規定のフル給油位置を超える位置までタンク本体１内に燃料を給油することができるので、作業機械等の稼働効率を高めることができる。
【００２５】
次に、本発明に係る燃料タンクの第２実施形態を図４に基づいて説明する。
【００２６】
本例の燃料タンクは、ストレーナ３内にフロート４を収納する構成に代えて、図４に示すように、タンク本体１内のストレーナ３の底部が配置される位置よりも下方部分にバッフルプレート１１を備えたことを特徴とする。バッフルプレート１１は、平板状の鋼板等をもって構成することができ、タンク本体１内の所定の位置に溶接等により設定される。
【００２７】
本例の燃料タンクは、タンク本体１内のストレーナ３の底部が配置される位置よりも下方部分にバッフルプレート１１を備えたので、タンク本体１が何らかの原因で揺動し、タンク本体１内に貯蔵された燃料に飛び跳ねが生じた場合にも、飛び跳ねた燃料をバッフルプレート１１によって遮断することができる。よって、ストレーナに収納又は塗布された添加剤に燃料が接触しにくくなるので、燃料タンク内に貯蔵された燃料の添加剤濃度を安定に保つことができる。なお、本例のバッフルプレート１１と第１実施形態に係るフロート４とを併用することも勿論可能である。
【００２８】
次に、本発明に係る燃料タンクの第３実施形態を図５に基づいて説明する。
【００２９】
本例の燃料タンクは、ストレーナ３内にペレット状の固形添加剤５を収納する構成に代えて、図５に示すように、ストレーナ３の表面（内面及び外面の双方を含む。）に液状添加剤５ａを塗布したことを特徴とする。本例の場合には、ストレーナ３の表面への液状添加剤５ａの塗布を容易にするため、ストレーナ３を給油口２に対して着脱できるように構成することが特に望ましい。また、タンク本体１内には、第２実施形態と同様、所定の位置にバッフルプレート１１が備えられる。なお、ストレーナ３の表面に塗布された液状添加剤５ａは、液状のまま使用することもできるし、乾燥固化した後に使用することもできる。
【００３０】
本例の燃料タンクは、ストレーナ３を給油口２に対して着脱可能に構成すると共に、ストレーナ３の表面に液状添加剤５ａを徒フル構成としたので、ストレーナ３に塗布された添加剤５ａが無くなったとき又はその残量が少なくなったときに給油口２からストレーナ３を取り外し、再度ストレーナ３の内周面及び外周面に液状添加剤５ａを塗布することができる。よって、燃料への添加剤の添加機能を半永久的に持続させることができる
【図面の簡単な説明】
【００３１】
【図１】第１実施形態に係る燃料タンクの分解斜視図である。
【図２】第１実施形態に係る燃料タンクの給油レベルが低いときの状態を示す要部断面図である。
【図３】第１実施形態に係る燃料タンクの給油レベルが高いときの状態を示す要部断面図である。
【図４】第２実施形態に係る燃料タンクの断面図である。
【図５】第３実施形態に係る燃料タンクに備えられるストレーナの要部断面図である。
【符号の説明】
【００３２】
１    タンク本体
２    給油口
３    ストレーナ
４    フロート
５    固形添加剤
５ａ    塗布添加剤
６    キャップ
１１    バッフルプレート
【図１】
2007262976.tif 000003
【図２】
2007262976.tif 000004
【図３】
2007262976.tif 000005
【図４】
2007262976.tif 000006
【図５】
2007262976.tif 000007